(57)【要約】【課題】供給路から供給されたシートとシート収納部に収納されたシートとの重送を生じにくくし、シートを良好に搬送することができる搬送装置及び画像形成装置を提供する。【解決手段】画像形成装置１０は、シートを収納する第２収納容器８０と、シートを搬送する第２フィードロール８２と、シートを第２フィードロール８２に押圧する押圧装置１２０と、重送されたシートを分離する第２リタードロール８４と、第２フィードロール８２にシートを供給する反転搬送路８８と、反転搬送路８８からのシートを第２フィードロール８２へ案内する第１位置と、第１位置から退避した第２位置との間で移動する案内部材９４と、案内部材９４が第１の位置へと移動することに連係して、第２収納容器に収納されたシートの第２フィードロールへの押圧を解除する解除機構１２６とを有する。【選択図】図４
2008276099.tif 000002
【特許請求の範囲】
【請求項１】
シートを収納する収納部と、
前記収納部に収納されたシートを搬送する搬送ロールと、
前記収納部に収納されたシート及び前記搬送ロールのいずれか一方を他方に押圧可能な押圧装置と、
前記搬送ロールに接触し、重送されたシートを分離する分離部材と、
前記搬送ロールのシート搬送方向上流の位置にシートを供給する供給路と、
前記供給路から供給されたシートを前記搬送ロールに案内する第１位置と、この第１位置から退避した第２位置との間で移動可能に設けられた案内部と、
前記案内部が第１の位置へ移動することに連係して、前記押圧装置による押圧を解除する解除手段と、
を有する搬送装置。
【請求項２】
前記案内部は、前記搬送ロールが前記分離部材と接触する位置よりもシート搬送方向上流側の位置で前記搬送ロールと接触する接触部を有する請求項１記載の搬送装置。
【請求項３】
前記供給路から前記搬送ロールへシートが供給されるタイミングを検知する検知部と、
前記検知部からの出力に基づいて、前記案内部を第１の位置へ移動させる制御部と、
をさらに有する請求項１又は２記載の搬送装置。
【請求項４】
シートを収納する収納部と、
前記収納部に収納されたシートを搬送する搬送ロールと、
前記収納部に収納されたシート及び前記搬送ロールのいずれか一方を他方に押圧可能な押圧装置と、
前記搬送ロールに接触し、重送されたシートを分離する分離部材と、
前記搬送ロールにより搬送されたシートに画像形成を行う画像形成部と、
前記画像形成部で画像形成がなされたシートを反転させ、前記搬送ロールのシート搬送方向上流の位置に供給する反転搬送路と、
前記反転搬送路から供給されたシートを前記搬送ロールに案内する第１位置と、この第１位置から退避した第２位置との間で移動可能に設けられた案内部と、
前記案内部が第１の位置へ移動することに連係して、前記押圧装置による押圧を解除する解除手段と、
を有する画像形成装置。
【請求項５】
画像形成装置本体に対して着脱可能なユニットをさらに有し、
前記反転搬送路は、前記ユニットに設けられている請求項４記載の画像形成装置。
【発明の詳細な説明】
【技術分野】
【０００１】
本発明は、搬送装置及び画像形成装置に関する。
【背景技術】
【０００２】
シートを積載支持するシート積載手段と、前記シート積載手段からシートを送り出すためのシート供給回転体と、前記シート供給回転体により送り出されたシートに画像を形成する画像形成手段と、前記画像形成手段により一方の面に画像が形成されたシートを再度前記画像形成手段に戻して他方の面に画像を形成するための両面シート再供給手段と、を備えた画像形成装置において、前記シート供給回転体と前記シート積載手段に積載されるシートとの間に、前記両面シート再供給手段により送られてくるシートを前記画像形成手段に再給送するためのシート再給送案内手段を設けた画像形成装置が知られている（特許文献１）。
【０００３】
【特許文献１】特開２００４−８５６３２号公報
【発明の開示】
【発明が解決しようとする課題】
【０００４】
本発明の目的は、供給路や反転搬送路から供給されたシートとシート収納部に収納されたシートとの重送を生じにくくし、シートを良好に搬送することができる搬送装置及び画像形成装置を提供することにある。
【課題を解決するための手段】
【０００５】
本発明の第１の特徴とするところは、シートを収納する収納部と、前記収納部に収納されたシートを搬送する搬送ロールと、前記収納部に収納されたシート及び前記搬送ロールのいずれか一方を他方に押圧可能な押圧装置と、前記搬送ロールに接触し、重送されたシートを分離する分離部材と、前記搬送ロールのシート搬送方向上流の位置にシートを供給する供給路と、前記供給路から供給されたシートを前記搬送ロールに案内する第１位置と、この第１位置から退避した第２位置との間で移動可能に設けられた案内部と、前記案内部が第１の位置へ移動することに連係して、前記押圧装置による押圧を解除する解除手段と、を有する搬送装置にある。
【０００６】
好適には、前記案内部は、前記搬送ロールが前記分離部材と接触する位置よりもシート搬送方向上流側の位置で前記搬送ロールと接触する接触部を有する。
【０００７】
また、好適には、前記供給路から前記搬送ロールへシートが供給されるタイミングを検知する検知部と、前記検知部からの出力に基づいて、前記案内部を第１の位置へ移動させる制御部とをさらに有する。
【０００８】
また、本発明の第２の特徴とするところは、シートを収納する収納部と、前記収納部に収納されたシートを搬送する搬送ロールと、前記収納部に収納されたシート及び前記搬送ロールのいずれか一方を他方に押圧可能な押圧装置と、前記搬送ロールに接触し、重送されたシートを分離する分離部材と、前記搬送ロールにより搬送されたシートに画像形成を行う画像形成部と、前記画像形成部で画像形成がなされたシートを反転させ、前記搬送ロールのシート搬送方向上流の位置に供給する反転搬送路と、前記反転搬送路から供給されたシートを前記搬送ロールに案内する第１位置と、この第１位置から退避した第２位置との間で移動可能に設けられた案内部と、前記案内部が第１の位置へ移動することに連係して、前記押圧装置による押圧を解除する解除手段と、を有する画像形成装置にある。
【０００９】
好適には、画像形成装置本体に対して着脱可能なユニットをさらに有し、前記反転搬送路は、前記ユニットに設けられている。
【発明の効果】
【００１０】
本発明によれば、供給路や反転搬送路から供給されたシートとシート収納部に収納されたシートとの重送を生じにくくし、シートを良好に搬送することができる搬送装置及び画像形成装置を提供することができる。
【発明を実施するための最良の形態】
【００１１】
次に本発明の実施形態について図面に基づいて説明する。
図１には、本発明の実施形態に係る画像形成装置１０が示されている。
画像形成装置１０は、画像形成装置本体１２を有し、画像形成装置本体１２内に、給紙装置１４、画像形成部１５が装着されているともに、例えば普通紙やＯＨＰシート等のシートの搬送がなされる主搬送路１９が形成されている。また、画像形成装置本体１２には排出口１３が形成され、画像形成装置本体１２の上部が、画像形成がなされたシートが排出される排出部１６として用いられている。また、画像形成装置本体１２の前側（図１における左側）には、画像形成装置本体１２に対して、着脱可能にサブユニットとして用いられる両面ユニット１７が装着されている。
【００１２】
画像形成部１５は、１個の感光体ユニット２６、４個の光書き込み装置５６、１個の転写ユニット２８、及び１個の定着装置３０を有していて、シートへの画像形成を行う。感光体ユニット２６は画像形成装置本体１２内に着脱可能に装着されていて、例えば４個のサブユニット５０を有している。
【００１３】
サブユニット５０は、それぞれが像保持体として用いられる感光体４０を有し、感光体４０の周囲には、感光体４０を一様に帯電する帯電手段として用いられる帯電装置４２と、感光体４０に書き込まれた潜像を現像剤（トナー）で現像し、現像手段として用いられる現像装置４４と、現像剤像の転写がなされた後の感光体４０に残留する現像剤を除去し、現像剤除去手段として用いられるクリーニング装置４８とが、それぞれに設けられている。
【００１４】
４つのサブユニット５０は、重力方向下方であるシート搬送方向上流から、イエロー現像剤像形成用、マゼンタ現像剤像形成用、シアン現像剤像形成用、黒現像剤像形成用であって、感光体４０の表面に、イエロー現像剤像、マゼンタ現像剤像、シアン現像剤像、黒トナー像をそれぞれ形成する。
【００１５】
光書き込み装置５６は、それぞれがレーザ露光装置からなり、感光体ユニット２６の背面側にあって、それぞれが感光体４０に対応した位置に配置され、一様に帯電された感光体４０に対してレーザを照射して潜像を形成する。
【００１６】
転写ユニット２８は、感光体ユニット２６の前側に位置し、感光体ユニット２６に対向するように配置されている。転写ユニット２８は、上下方向に並べられた２つの支持ロール５８、５８を有し、２つの支持ロール５８、５８に搬送ベルト６０が掛けられている。２つの支持ロール５８、５８の少なくともいずれか一方が、搬送ベルト６０に駆動を伝達する駆動ロールとして用いられ、この駆動ロールからの駆動伝達を受けて、搬送ベルト６０が回転駆動する。
【００１７】
支持ロール５８、５８には、転写バイアスが印加されていて、搬送ベルトを挟んで対向するように配置された感光体４０、４０に形成された現像剤像を、シートに転写するためにも用いられている。
【００１８】
また、転写ユニット２８は、感光体４０に対して、搬送ベルト６０を挟んで対向するように配置され、支持ロール５８、５８とは別の２個の転写ロール６２、６２を有している。転写ロール６２、６２には、ぞれぞれに転写バイアスが印加され、この転写バイアスによって、搬送ベルト６０を挟んで対向する位置に感光体４０、４０に形成された現像剤像を、それぞれシートへと転写するために用いられる。
【００１９】
定着装置３０は、加熱ロール７０と、加熱ロール７０に圧接される加圧ロール７２とを有し、転写ロール６２によってシートに転写された画像（現像剤像）を、加熱ロール７０と加圧ロール７２との接触部で加熱し、加圧することでシートへと定着するために用いられる。
【００２０】
給紙装置１４は、第１収納容器１８を有し、第１収納容器１８にシートが積層されて収納されている。第１収納容器１８の一端上部には、第１フィードロール２０が配置されているとともに、第１フィードロール２０に対向して第１リタードロール２２が設けられている。第１収納容器１８の最上位にあるシートが第１フィードロール２０によりピックアップされ、第１フィードロール２０と第１リタードロール２２との協働により捌かれ、重送が生じないように搬送される。
【００２１】
また、給紙装置１４は、シートを収納する収納部として用いられる第２収納容器８０を有する。第２収納容器は、いわゆる手差し給紙を行う際に用いられる収納容器であって、例えば、第１収納容器１８に収納されたシートとは異なる大きさや、異なる材質のシートに画像形成を行う場合に、第２収納容器８０に、その大きさ等が異なるシートが積層するように収納されたり、操作者によってシートが１枚ずつ手差しされたりする。第２収納容器８０は、使用しない場合、すなわち、第１収納容器に収納されたシートに画像形成を行う場合には、例えば、図示を省略するヒンジを中心に回転するようにして、画像形成装置本体１２内に収納されるようにしても良い。
【００２２】
第２収納容器１８の一端上部には、搬送ロールとして用いられる第２フィードロール８２が配置されている。また、第２フィードロール８２に対向して、第２フィードロール８２に接触するように、分離部材として用いられる第２リタードロール８４が設けられている。第２収納容器１８の最上位にあるシートが第２フィードロール８２によりピックアップされ、第２フィードロール８２と第２リタードロール８４との協働により捌かれ、シートが重送された場合に、重送されたシートを分離して最上位に位置するシートだけが搬送される。
【００２３】
主搬送路１９は、第１収納容器１８から排出部１６まで至るシートの通路であり、主搬送路１９に沿って、シートの搬送方向上流側である重力方向下方側からシート搬送方向下流側である重力方向上方に向けて順に、第１フィードロール２０及び第１リタードロール２２、レジストロール２４、転写ユニット２８、定着装置３０、及び排出装置として用いられる排出ロール３２が配置されている。レジストロール２４は、シートの先端部を一旦停止させた後、感光体ユニット２６で現像剤像の形成がなされるタイミングと合わせて、シートの下流側への搬送を開始する。排出ロール３２は、定着装置３０より現像剤像の定着がなれたシートを、排出口１３を介して排出部１６へと排出するように搬送する。
【００２４】
以上のように構成された画像形成装置１０では、感光体４０が、帯電装置４２により一様に帯電され、一様に帯電された感光体４０に光書き込み装置５６により潜像が形成され、この潜像が現像装置４４によって現像剤を用いて可視像化され、現像剤像が形成される。感光体４０に形成された現像剤像は、転写ユニット２８によって、シート搬送方向上流側に位置する感光体４０に形成された現像剤から順番にシートへと転写される。そして、シートに転写された現像剤像が定着装置３０によってシートに定着される。現像剤像が定着されたシートは、排出口１３を介して排出ロール３２によって排出部１６に排出される。
【００２５】
両面ユニット１７は、画像形成装置本体１２に着脱可能に装着されるユニット本体８６を有し、ユニット本体８６内に、第２フィードロール８２のシート搬送方向上流の位置にシートを供給する供給路として用いられる反転搬送路８８が形成されている。反転搬送路８８は、画像形成部１５で一方の面（表面）に画像形成がなされたシートの他方の面（裏面）にも画像形成をする場合に、一方の面に画像形成がされたシートを、反転させつつ、再び画像形成部１５へと搬送するために用いられる。
【００２６】
反転搬送路８８に沿って、反転搬送ロール９０、９０と、センサ９２とが配置されている。反転搬送ロール９０、９０は、反転搬送路８８内においてシートを搬送する。センサ９２は、反転搬送路８８から第２フィードロール８２にシートが供給されるタイミングを検知する検知部として用いられていて、制御部として用いられる制御回路９３に接続されている。センサ９２は、反転搬送路８８内の予め定められた位置にシートの先端部が到達し、また、該位置をシート後端部が通過すると、制御回路９３に信号を出力する。また、反転搬送路８８の出口付近には、反転搬送路８８から供給されたシートを、第２フィードロール８２へ案内する案内部として用いられる案内部材９４が設けられている。
【００２７】
反転搬送路８８を用いて、一方の面に画像形成がなされたシートを反転させつつ、再び画像形成部１５に供給するには、一方の面に画像形成がなされたシートを排出ロール３２で排出部１６に排出する際に、シート後端部付近が排出ロール３２にくわえこまれた状態で、排出ロール３２の回転を停止し、排出ロール３２を逆回転させる。そして、排出ロール３２が逆回転することで、シートが後端部側から反転搬送路８８へと供給される。そして、後端部側から反転搬送路８８内に供給されたシートが、反転搬送ロール９０、９０によって搬送され、第２フィードロール８２へと供給される。そして、第２フィードロール８２へと供給されたシートは、第２リタードロール８４によって捌かれ、第２収納容器８０に収納されたシートとの重送が生じないようにレジストロール２４へと供給され、レジストロール２４によって、所定のタイミングで画像形成部１５へと再び搬送される。
【００２８】
図２乃至４には、案内部材９４及び案内部材９４近傍に配置された部材が示されている。
案内部材９４は、図３及び図４（ｂ）に示される反転搬送路８８から供給されたシートを第２フィードロール８２に案内する第１位置と、図２及び図４（ａ）に示される第１位置から退避した第２位置との間で移動可能となっている。案内部材９４には、例えば、モータ等からなる駆動源９６が連結されていて、駆動源９６からの駆動によって、案内部材９４は、第１の位置と第２の位置との間を移動する。
【００２９】
駆動源９６の回転軸９８には、ギア１００が形成されている。そして、ギア１００が、案内部材９４の例えば下向きの面に案内部材９４に移動方向に形成されたギア１０２と噛み合うようになっている。このため、回転軸９８が一方の方向に回転することで、案内部材９４は第１位置から第２位置へと移動し、回転軸９８が他方の方向に回転することで、第２の位置から第１の位置へ移動する。また、駆動源９６は、先述の制御回路９３（図１参照）に接続されていて、制御回路９３により制御されている。
【００３０】
案内部材９４は、接触部材１０６を有している。接触部材１０６は、接触部として用いられ、第２フィードロール８２が第２リタードロール８４に接触する位置Ｐ１よりもシート搬送方向の上流側の位置である位置Ｐ２で、第２フィードロール８２に接触している。接触部材１０６は、例えば可撓性を有する部材から形成されていて、先端部が下向きに折れ曲がるような平板形状を有し、下向きに折れ曲がれることで形成された角の部分が第２フィードロール８２に接触している。
【００３１】
第２収納容器８０は、第２収納容器本体１０８と、第２収納容器本体１０８に対して、少なくとも第２フィードロール８２側が上下動可能に取り付けられた移動板１１０とを有している。第２収納容器８０に収納されるシートは、移動板１１０の上向きの面に積層されて載置され、移動板１１０とともに、少なくとも第２フィードロール８２側が、第２収納容器本体１０８に対して上下動する。
【００３２】
第２収納容器８０に収納されたシートは、押圧装置１２０によって、第２フィードロール８２に押圧可能となっている。押圧装置１２０は、例えばコイルスプリング等の弾性体からなる付勢部材１２２、１２２を有していて、付勢部材１２２、１２２の下端部が、第２収納容器本体１０８に固定されている。また、付勢部材１２２、１２２の上端部は、移動板１１０の下向きの面に接触している。このため、図４（ａ）に示すように、付勢部材１２２、１２２によって移動板１１０と、移動板１１０に載置されたシートとが第２フィードロールの方向に付勢され、積層されているシートのうち、最も上にあるシートが第２フィードロールに押圧される。
【００３３】
この実施形態においては、押圧装置１２０は、第２収納容器８０に収納されたシートを第２フィードロール８２に押圧するが、押圧装置１２０は、第２収納容器８０に収納されたシート及び第２フィードロール８２のいずれか一方を他方に押圧するものであれば良く、押圧装置１２０を、第２フィードロール８２を第２収納部に収納されたシートに押圧するようにしても良い。
【００３４】
画像形成装置１０は、案内部材９４が第２の位置から第１の位置へと移動することに連係して、押圧装置１２０による第２フィードロール８２に対する第２収納容器８０に収納されたシートの押圧を解除する解除手段として用いられる解除機構１２６を有している。解除機構１２６は、移動板１１０に案内部材９４側に突出するように形成され、被押圧部として用いられる凸部１２８と、凸部１２８を押圧するように案内部材９４に形成され、押圧部として用いられる押圧面１３０とを有している。押圧面１３０は、案内部材９４が移動する方向に対して傾斜する斜面として形成されている。
【００３５】
解除機構１２６においては、駆動源９６からの駆動伝達を受けて、図２に示される第２の位置から、図３に示される第１の位置へと案内部材９４が移動する過程で、押圧面１３０が凸部１２８に接触する。そして、押圧面１３０が凸部１２８に接触した状態で、案内部材９４が、さらに第１の位置に向かって移動することで、凸部１２８が押圧面１３０によって下方向に押圧されて、移動板１１０と移動板１１０に積層されたシートとが付勢部材１２２、１２２の付勢に抗して下方向に移動し、積層されたシートの第２フィードロール８２に対する押圧が解除される。なお、第１の位置から第２の位置へ案内部材９４が移動すると、これに連係して第２収納容器に収納されたシートが、第２フィードロールへ押圧された状態となる。
【００３６】
以上のように構成された画像形成装置１０では、例えば、電源をＯＮとした時点等、通常は、案内部材９４は、図２、及び図４（ａ）に示される第２の位置に配置された状態にある。そして、両面に画像形成を行うためのシートが反転搬送路８８へと供給されると、このシートの先端部がセンサ９２により検知され、センサ９２からの出力が制御回路９３に入力される。センサ９２からの信号が入力されると、シートの搬送スピード、センサ９２が設けられた位置から第２フィードロール８２までの距離を用いて、予め計算されたシートの先端部が第２フィードロールに到達するまでに要する時間に基づいて、制御回路９３は、シート先端が第２フィードロール８２に到達するよりも前に、案内部材９４の第２の位置から第１の位置への移動が完了するように、駆動源９６の回転を開始させる。
【００３７】
そして、駆動源９６が回転し、案内部材９４が第２の位置から第１の位置へと移動すると、接触部材１０６が位置Ｐ２で第２フィードロール８２に接触した状態となり、センサ９２で先端部が検知されたシートの先端部が、接触部材１０６と第２フィードロール８２との接触部を通過するように案内される。この際、案内部材９４が第２の位置へ移動することに連係して、解除機構１２６によって第２収納容器８０に収納されたシートの第２フィードロール８２への押圧が解除される。このため、第２収納容器８０に収納されたシートに妨げられることなく、反転搬送路８８に供給されたシートが第２フィードロール８２によって搬送される。
【００３８】
シートの少なくとも先端部が位置Ｐ２を通過した後、制御回路９３は、駆動源９６を制御することによって、案内部材９４を第１の位置から第２の位置へと移動させる。そして、案内部材９４が第２の位置へと移動することで、図４（ａ）に示されるように、第２収納容器８０に収納されたシートが第２フィードロール８２に接触した状態となり、第２収納部に収納されたシートを画像形成部１５へ向けて搬送することができる状態となる。
【産業上の利用可能性】
【００３９】
以上述べたように、本発明は、例えば、複写機、ファクシミリ装置、プリンタ等の給紙装置及び画像形成装置に適用することができる。
【図面の簡単な説明】
【００４０】
【図１】本発明の実施形態に係る画像形成装置の概略構成を示す側面図である。
【図２】本発明の実施形態に用いられる案内部材を示し、収納容器に収納されたシートを供給ロールによって搬送可能な状態を示す斜視図である。
【図３】本発明の実施形態に用いられる案内部材を示し、反転搬送路から供給されたシートを供給ロールによって搬送可能な状態を示す斜視図である。
【図４】本発明の実施形態に用いられる案内部材を示し、図４（ａ）は図２におけるＡ−Ａ線断面図であり、図４（ｂ）は図３におけるＢ−Ｂ線断面図である。
【符号の説明】
【００４１】
１０    画像形成装置
１２    画像形成装置本体
１４    給紙装置
１５    画像形成部
１７    両面ユニット
８０    第２収納容器
８２    第２フィードロール
８４    第２リタードロール
８８    反転搬送路
９２    センサ
９３    制御回路
９４    案内部材
９６    駆動源
１０６  接触部材
１０８  収納容器本体
１１０  移動板
１２０  押圧装置
１２２  付勢部材
１２６  解除機構
【図１】
2008276099.tif 000003
【図２】
2008276099.tif 000004
【図３】
2008276099.tif 000005
【図４】
2008276099.tif 000006